(57)【要約】【課題】装飾具の交換に道具を使用することなく、片手でも簡単に交換が可能であり、今以上多くのネイルアート実施者に立体ネイルアートを楽しむことが可能になる人工爪構造を提供する。【解決手段】人工爪１にホック６の受け側部材であるソケット形状係止孔部３を形成し、装飾具４にホック６のゲンコ部材５を取付け、人工爪１を、ネイルアート実施者の自然爪１１に接着、又は貼着等により取付け、ゲンコ部材５をソケット形状係止孔部３に係脱可能に係止することで、人工爪１に装飾具４を装着するようにした。【選択図】図１
2006081817.tif 000002
【特許請求の範囲】
【請求項１】
ネイルアート実施者の自然爪に取付けられる人工爪と、この人工爪に装着される装飾具とを有し、前記人工爪に係止部を形成し、この係止部とセットとなる係止部材を前記装飾具に取付け、この係止部材を前記係止部に係脱可能に係止することで、前記装飾具を前記人工爪に着脱可能に装着するようにしたことを特徴とする人工爪構造。
【請求項２】
前記係止部がホックの受け側部材に該当するソケット形状係止孔部であり、前記係止部材が前記ホックのゲンコ部材であり、前記人工爪に前記ソケット形状係止孔部を形成し、前記装飾具に前記ゲンコ部材を取付け、このゲンコ部材を前記ソケット形状係止孔部に係脱可能に係止することで前記装飾具を前記人工爪に装着するようにしたことを特徴とする請求項１に記載の人工爪構造。
【請求項３】
前記ゲンコ部材は、ゲンコ取付用ベースにゲンコ係止突起部を設けて構成してあって、前記装飾具の裏面に前記ゲンコ取付用ベースを接着剤で接着することで前記ゲンコ部材を前記装飾具に取付けるようにしたことを特徴とする請求項２に記載の人工爪構造。
【発明の詳細な説明】
【技術分野】
【０００１】
本発明は、ネイルアート実施者の指先の自然爪表面に人工爪を接着又は貼着等で取付けて爪表面を飾る人工爪構造に関するものである。
【背景技術】
【０００２】
近年、女性を中心にネイルアート実施者の指先の自然爪表面に人工爪を接着又は貼着等で取付けて、そこにペイントをする、シールを貼る、さらに装飾具を接着することでフアッションの一つとしてネイルアートを楽しむことが増えている。
【０００３】
ペイント、シールは色、デザインの種類も充実しており、プロのネイリストを始め数多くの人達が様々なネイルアートを施している。そして、平面的なものだけではなく、立体的ネイルアートとして装飾具を施すことが特に増えている。
【０００４】
最近、ネイルアートによりペイントされた爪に、他のアクセサリー類を付けるものがある。これは、ネイルアートによるペイント可能な素材を使った人工爪に穴を穿ち、この人工爪にペイントした後、穴の部分に、道具を用いてアクセサリー用パーツを通す形体にすることにより、アクセサリー類とのコーディネイトを行うというものである（特許文献１参照）。
【特許文献１】実用新案第３０７２９００号
【発明の開示】
【発明が解決しようとする課題】
【０００５】
しかしながら、従来の人工爪構造では、人工爪に装飾具を付けるのに、ペイントもしくはシールを施した人工爪に装飾具を接着することが多く、他の装飾具との交換が容易にできないという問題があった。
【０００６】
また、上記した特許文献１に開示された人工爪構造においては、人工爪の穴にアクセサリー用パーツを通す場合に、道具を用いていて、装飾具の交換毎に道具を用いるようにしており、その作業は簡単ではなく、装飾具の交換が容易にできないという問題点があった。
【０００７】
すなわち、道具を用いて装飾具の取り付け、取り外しをしなければ、人工爪と装飾具との固定が確実にできず、一度固定した装飾具は交換せずに、そのまま使用し続けることが多い。
【０００８】
通常、人工爪の使用期間は約１ケ月程度である。これは、ネイルアート実施者の自然爪が伸びることから、見た目上、故意に剥がしたり、自然に人工爪が剥がれてしまうからである。そして、また、頻繁にネイルショップに通うことや、自身で道具を使用し、片手で爪の上の小さな作業をすることが簡単ではないことから、約１ケ月程度、同じ装飾具を付けることがほとんどある。
【０００９】
そのため、フアッションの一つであるネイルアートも、その日の服装や髪型、仕事やプライベートなどの日々のライフスタイルなどに合わないこともあって、従来の人工爪構造では、満足とは言えず、今以上に誰でも容易に装飾具の交換ができることが望まれている。
【００１０】
本発明は上記した問題点を解決するためになされたものであって、その目的とするところは、装飾具の交換に道具を使用することなく、片手でも簡単に交換が可能であり、それぞれの必要に応じて、すぐにその場で装飾具の交換ができて、今以上多くのネイルアート実施者に立体ネイルアートを楽しむことが可能になる人工爪構造を提供することである。
【課題を解決するための手段】
【００１１】
上記した本発明の目的を達成するために、本発明に係る人工爪構造は、ネイルアート実施者の自然爪に取付けられる人工爪と、この人工爪に装着される装飾具とを有し、人工爪に係止部を形成し、この係止部とセットとなる係止部材を装飾具に取付け、この係止部材を係止部に係脱可能に係止することで、装飾具を人工爪に着脱可能に装着するようにしたことを特徴とする。
【００１２】
かかる構成により、人工爪（例えば、ネイルアート実施者の自然爪に取付けられるネイルアートによるペイント、又はシールなどの貼着可能な素材を使った人工爪）を、ネイルアート実施者の自然爪に接着又は貼着等で取付けて、装飾具に取付けた係止部材を係止部に係脱可能に係止することで、人工爪に装飾具を着脱可能に装着することができる。装飾具として、複数個の異なる装飾具を用意しておけば、日を変えて別の装飾具を人工爪に装着することができる。このように、装飾具の交換に道具を使用することなく、片手でも簡単に交換が可能であり、それぞれの必要に応じて、すぐにその場で装飾具の交換ができて、今以上多くのネイルアート実施者に立体ネイルアートを楽しむことが可能になる。
【００１３】
すなわち、人工爪に着脱可能に装飾具を装着できるために、人工爪と装飾具を接着することがないし、従来の装飾交換可能人工爪と違い、道具を必要としない。また、ネイルアート実施者自身で装飾具の交換が容易にできる。
【００１４】
また、従来の装飾具が交換可能な人工爪の場合、どうしても自身で装飾具を取り付ける時は、最初に人工爪に装飾具を道具により装着させてから、天然爪に人工爪を装着させているが、本発明の人工爪構造の場合、通常のネイルアートのように人工爪を天然爪に接着してから人工爪に装飾具を装着することができる。
【００１５】
また、装飾具として、複数個の異なる装飾具を用意しておけば、日を変えて別の装飾具を人工爪に装着することができるために、人工爪に施したペイントと装飾具の色々な組み合わせができるし、服装や髪型、仕事やプライベートの使い分けができる。
【００１６】
また、容易に交換自由なことから装飾具として使用できる素材が増える。例えば、一般的に使用期間の短い紙素材、生花などの植物から、長期間、幾度も使用できる宝石類等の高価な物を装飾具として使用することができて装飾具の幅が広がる。そして、今現在、多く使用されているプラスチック素材等の装飾具も近い捨てることが一切なく、長時間、幾度も使用可能になるし、装飾具の交換も自身でできるため、他者に取付けをやってもらう必要がなく、その対価がいらず経済的である。また、装飾目的以外でも利用される可能性が多いにある。
【００１７】
また、本発明に係る人工爪構造は、上記した本発明に係る人工爪構造において、係止部がホックの受け側部材に該当するソケット形状係止孔部であり、係止部材がホックのゲンコ部材であり、人工爪にソケット形状係止孔部を形成し、装飾具にゲンコ部材を取付け、このゲンコ部材をソケット形状係止孔部に係脱可能に係止することで装飾具を人工爪に装着するようにしたことを特徴とする。
【００１８】
かかる構成により、人工爪をネイルアート実施者の自然爪に接着又は貼着等で取付けて、装飾具に装着したホックのゲンコ部材を人工爪に形成したソケット形状係止孔部に係脱可能に係止することで、人工爪に装飾具を容易に装着することができる。装飾具として、複数個の異なる装飾具を用意しておけば、日を変えて別の装飾具を人工爪に装着することができる。このように、装飾具の交換に道具を使用することなく、片手でも簡単に交換が可能であり、それぞれの必要に応じて、すぐにその場で装飾具の交換ができて、今以上多くのネイルアート実施者に立体ネイルアートを楽しむことが可能になる。
【００１９】
また、本発明に係る人工爪構造は、上記した本発明に係る人工爪構造において、ゲンコ部材は、ゲンコ取付用ベースにゲンコ係止突起部を設けて構成してあって、装飾具の裏面にゲンコ取付用ベースを接着剤で接着することでゲンコ部材を装飾具に取付けるようにしたことを特徴とする。
【００２０】
かかる構成により、係止部であるホックのソケット形状係止孔部を形成した人工爪（例えば、ネイルアートによるペイント、又はシール等の貼着可能な素材を使った人工爪）を、通常のネイルアートと同じく、ネイルアート実施者の自然爪に接着、又は貼着等で取付けて、次に、装飾具に装着したホックのゲンコ部材を人工爪のソケット形状係止孔部に係脱可能に係止することで、人工爪に装飾具を容易に装着することができる。装飾具として、複数個の異なる装飾具を用意しておけば、日を変えて別の装飾具を人工爪に装着することができる。このように、装飾具の交換に道具を使用することなく、片手でも簡単に交換が可能であり、それぞれの必要に応じて、すぐにその場で装飾具の交換ができて、今以上多くのネイルアート実施者に立体ネイルアートを楽しむことが可能になる。
【発明の効果】
【００２１】
本発明の人工爪構造によれば、人工爪（例えば、ネイルアート実施者の自然爪に取付けられるネイルアートによるペイント、又はシールなどの貼着可能な素材を使った人工爪）を、ネイルアート実施者の自然爪に接着又は貼着等で取付けて、装飾具に取付けた係止部材（ゲンコ取付用ベースにゲンコ係止突起部を設けたゲンコ部材）を係止部（ソケット形状係止孔部）に係脱可能に係止することで、人工爪に装飾具を着脱可能に装着することができる。装飾具として、複数個の異なる装飾具を用意しておけば、日を変えて別の装飾具を人工爪に装着することができる。このように、装飾具の交換に道具を使用することなく、片手でも簡単に交換が可能であり、それぞれの必要に応じて、すぐにその場で装飾具の交換ができて、今以上多くのネイルアート実施者に立体ネイルアートを楽しむことが可能になる。
【００２２】
また、従来の装飾具が交換可能な人工爪の場合、どうしても自身で装飾具を取り付ける時は、最初に人工爪に装飾具を道具により装着させてから、天然爪に人工爪を装着させているが、本発明の人工爪構造の場合、通常のネイルアートのように人工爪を天然爪に接着してから人工爪に装飾具を装着することができる。
【００２３】
また、装飾具として、複数個の異なる装飾具を用意しておけば、日を変えて別の装飾具を人工爪に装着することができるために、人工爪に施したペイントと装飾具の色々な組み合わせができるし、服装や髪型、仕事やプライベートの使い分けができる。
【００２４】
また、容易に交換自由なことから装飾具として使用できる素材が増える。例えば、一般的に使用期間の短い紙素材、生花などの植物から、長期間、幾度も使用できる宝石類等の高価な物を装飾具として使用することができて装飾具の幅が広がる。そして、今現在、多く使用されているプラスチック素材等の装飾具も近い捨てることが一切なく、長時間、幾度も使用可能になるし、装飾具の交換も自身でできるため、他者に取付けをやってもらう必要がなく、その対価がいらず経済的である。また、装飾目的以外でも利用される可能性が多いにある。
【発明を実施するための最良の形態】
【００２５】
以下、本発明の実施の形態を図面に基づいて説明する。
【００２６】
本発明の実施の形態は、ネイルアート実施者の自然爪１１に取付けられる人工爪１と装飾具４とを有し、人工爪１に係止部を形成し、装飾具４に係止部とセットとなる係止部材を取付け、この係止部材を係止部に係脱可能に係止することで、装飾具４を人工爪１に着脱可能に装着するようにしたものである。そして、係止部がホック６のソケット形状係止孔部３であり、係止部材が、ホック６のガンコ部材５であることが望ましい。
【実施例】
【００２７】
本発明に係る人工爪構造は、ホック６のソケット形状係止孔部３を形成した人工爪１と、この人工爪１に着脱可能に装着される装飾具４と、この装飾具４を人工爪１に装着けるためのホック６のガンコ部材５とを備えている。
【００２８】
人工爪１は、ネイルアート実施者の自然爪１１に合わせたものであって、チップ本体部２を有し、このチップ本体部２の略中央には、係止部としてのソケット形状係止孔部３が形成してある。
【００２９】
ホック６は、人工爪１に形成してあるソケット形状係止孔部３と、このソケット形状係止孔部３に係脱可能に係止される係止部材であるゲンコ部材５とで構成してあり、ソケット形状係止孔部３は、図２に示すように、人工爪１に形成した円孔であり、この円孔の内部に引っ掛け部１０を形成して構成してあるし、ゲンコ部材５は、図６及び図７に示すように、ゲンコ取付用ベース７にゲンコ係止突起部８を設けて、このゲンコ係止突起部８にゲンコ括れ部９を形成して構成してある。そして、図３に示すように、ゲンコ部材５のゲンコ係止突起部８をソケット形状係止孔部３に挿入して、ゲンコ括れ部９を引っ掛け部１０に引っ掛けることで、ソケット形状係止孔部３にゲンコ部材５が係止されるものである。
【００３０】
そして、装飾具４の裏面には、ホック６のゲンコ部材５が装着してある。この装着は、ゲンコ取付用ベース７を接着剤で装飾具４の裏面に接着することで行われている。
【００３１】
次に、上記のように構成された人工爪構造の使用を説明する。
【００３２】
人工爪１を、図４に示すように、ネイルアート実施者の自然爪１１に、通常のネイルアートと同じように接着、又は貼着等により取付ける。したがって、人工爪１に形成されたソケット形状係止孔部３が自然爪１１上に位置するようになる。
【００３３】
次に、図５に示すように、装飾具４に装着したホック６のゲンコ部材５をソケット形状係止孔部３に係脱可能に係止することで、人工爪１に装飾具４を装着する。
【００３４】
装飾具４として、複数個の異なる装飾具を用意しておけば、日を変えて別の装飾具４を上記した装着方法で人工爪１に装着することができる。
【００３５】
また、人工爪１の表面はペイントしても良く、また、シール等を貼ってよく、装飾具４を外した状態でもネイルアートとして通用するようにしてもよい。
【００３６】
上記したように本発明の実施例によれば、ホック６のソケット形状係止孔部３が形成された人工爪１を、通常のネイルアートと同じようにネイルアート実施者の自然爪１１に接着、又は貼着等により取付け、次に、装飾具４に装着したホック６のゲンコ部材５をソケット形状係止孔部３に係脱可能に係止することで、人工爪１に装飾具４を容易に装着することができる。装飾具４として、複数個の異なる装飾具を用意しておけば、日を変えて別の装飾具４を人工爪１に装着することができる。このように、装飾具４の交換に道具を使用することなく、片手でも簡単に交換が可能であり、それぞれの必要に応じて、すぐにその場で装飾具４の交換ができて、今以上多くのネイルアート実施者に立体ネイルアートを楽しむことが可能になる。
【００３７】
また、従来の装飾具が交換可能な人工爪の場合、どうしても自身で装飾具を取り付ける時は、最初に人工爪に装飾具を道具により装着させてから、天然爪に人工爪を装着させているが、本発明に係る人工爪構造の場合、通常のネイルアートのように人工爪１を天然爪１１に接着してから人工爪１に装飾具４を装着することができる。
【００３８】
また、装飾具４として、複数個の異なる装飾具を用意しておけば、日を変えて別の装飾具４を上記した装着方法で人工爪１に装着することができるために、人工爪１に施したペイントと装飾具４の色々な組み合わせができるし、服装や髪型、仕事やプライベートの使い分けができる。
【００３９】
また、容易に交換自由なことから装飾具４として使用できる素材が増える。例えば、一般的に使用期間の短い紙素材、生花などの植物から、長期間、幾度も使用できる宝石類等の高価な物を装飾具として使用することができて装飾具４の幅が広がる。そして、今現在、多く使用されているプラスチック素材等の装飾具４も近い捨てることが一切なく、長時間、幾度も使用可能になるし、装飾具４の交換も自身でできるため、他者に取付けをやってもらう必要がなく、その対価がいらず経済的である。また、装飾目的以外でも利用される可能性が多いにある。
【００４０】
なお、上記した本発明の実施の形態においては、人工爪１に形成されたソケット形状係止孔部３は１ヶ所であったが、複数のソケット形状係止孔部３を形成することで、複数の装飾具４の装着が可能であり、今までにない立体ネイルアートが楽しめるようになる。
【産業上の利用可能性】
【００４１】
本発明に係る人工爪構造によれば、人工爪（例えば、ネイルアート実施者の自然爪に取付けられるネイルアートによるペイント、又はシールなどの貼着可能な素材を使った人工爪）を、ネイルアート実施者の自然爪に接着又は貼着等で取付けて、装飾具に取付けた係止部材（ゲンコ取付用ベースにゲンコ係止突起部を設けたゲンコ部材）を係止部（ソケット形状係止孔部）に係脱可能に係止することで、人工爪に装飾具を着脱可能に装着することができ、装飾具として、複数個の異なる装飾具を用意しておけば、日を変えて別の装飾具を人工爪に装着することができる。このように、装飾具の交換に道具を使用することなく、片手でも簡単に交換が可能であり、それぞれの必要に応じて、すぐにその場で装飾具の交換ができて、今以上多くのネイルアート実施者に立体ネイルアートを楽しむことが可能になるという効果を有し、ネイルアート実施者の指先の自然爪表面に接着又は貼着等で取付けて爪表面を飾る人工爪構造として有用である。
【図面の簡単な説明】
【００４２】
【図１】本発明に係る人工爪構造の分解状態の斜視図である。
【図２】図１のＸ−Ｘ線に沿う断面図である。
【図３】本発明に係る人工爪構造において、ソケット形状係止孔部にゲンコ部材を係止した状態の断面図である。
【図４】本発明に係る人工爪構造において、人工爪を自然爪に貼着した状態の斜視図である。
【図５】本発明に係る人工爪構造において、人工爪を自然爪に貼着し、この人工爪に装飾具を装着した状態の斜視図である。
【図６】ホックのゲンコ部材の平面図である。
【図７】同ゲンコ部材の側面図である。
【符号の説明】
【００４３】
１    人工爪
２    チップ本体部
３    ソケット形状係止孔部（係止部）
４    装飾具
５    ゲンコ部材（係止部材）
６    ホック
７    ゲンコ取付用ベース
８    ゲンコ係止突起部
９    ゲンコ括れ部
１０  引っ掛け部
１１  自然爪
【図１】
2006081817.tif 000003
【図２】
2006081817.tif 000004
【図３】
2006081817.tif 000005
【図４】
2006081817.tif 000006
【図５】
2006081817.tif 000007
【図６】
2006081817.tif 000008
【図７】
2006081817.tif 000009